(57)【要約】【課題】臀部から腰に連結する筋肉の強化も図るようにした腰痛防止用の保健器具として、またバランス感覚や反射神経を鍛練する運動器具としての電動椅子を提供する。【解決手段】人が椅子１０２の円盤状座部１０５に座る手段と、該円盤の下面周縁にコロ１０９ａを上端に枢着した支柱群１０７を高低差を有するように枢支して傾斜させ、支柱群１０７を円盤の下面中央に枢着した軸１１１の周りに電動回転させ、座部を上下に波打運動させる手段と、一方、円盤の下面中央の軸を支点として円盤を電動手段で正逆回転させ、座部を左右に往復運動させる手段と、人が椅子に座った状態で膝を持ち上げて屈伸運動する手段とからなる電動椅子１０１を構成するものである。【選択図】図２
2005245638.tif 000002
【特許請求の範囲】
【請求項１】
人が椅子の円盤状座部に座る手段と、該円盤の下面周縁にコロを上端に枢着した支柱群が高低差を有するように枢支して傾斜させ、該支柱群を円盤の下面中央に枢着した軸の周りに電動回転させ、座部を上下に波打揺動させる手段と、一方円盤の下面中央の軸を支点として円盤を電動手段で正逆回転させ、座部を左右に往復回転させる手段とからなることを特徴とする電動椅子。
【請求項２】
人が椅子の円盤状座部に座る手段と、該円盤を下面周縁にコロを上端に枢着した支柱群が高低差を有するように枢支して傾斜させ、該支柱群を円盤の下面中央に枢着した軸の周りに電動回転させ、座部を上下に波打運動させる手段と、一方円盤の下面中央の軸を支点として円盤を電動手段で正逆回転させ、座部を左右に往復運動させる手段と、人が椅子に座った状態で膝を持ち上げて屈伸運動する手段とからなることを特徴とする電動椅子。
【請求項３】
円盤の傾斜が、傾斜角度を可変しうるようにした請求項１または請求項２記載
の電動椅子。
【請求項４】
正逆回転が、角度と速度を可変しうるようにした請求項１または請求項２記載の電動椅子。
【請求項５】
椅子が背凭れ部を有し、該背凭れ部の下部に面状発熱体を付設して腰部を保温するようにした請求項１または請求項２記載の電動椅子。
【請求項６】
屈伸運動手段が、膝を上げた状態で人の太股部を胸側に寄せるようにした請求項２記載の電動椅子。
【発明の詳細な説明】
【技術分野】
【０００１】
本発明の電動椅子は、本出願人が先に出願した特開２００１−３２７６２６の周辺特許に係るものであり、足腰のバランス感覚鍛練用の運動器具であるとともに、腰痛治療用の保健器具でもある。
【背景技術】
【０００２】
バランス感覚と足腰の強化は、各種スポ−ツの基本的な問題であるが、従来は適当な運動器具が見当らなかった。例えば、サーフィンやスノーボードやスキーやスケート等のスポーツは、直接的にバランス感覚の反射神経が要求される。しかし、これ等のスポーツだけでなく、テニスや野球の捕球時や、バスケットやバレーボールやサッカーの球の奪い合いに対しても、足腰の強い機敏な動作が要求される。また、腰痛の治療や老人や病後のリハビリ用には、腰椎の椎間関節の矯正と、大腰筋の筋肉強化が必要である。
【０００３】
バランス感覚訓練と足腰鍛練用の器具としては、本出願人が先に出願した特許文献１がある。これは、上下動に前後動を複合さして、アキレス腱周りの筋肉を伸ばす運動を取り入れた有効な足腰鍛練器具で、馴れるまでは手摺りがないと難しいものである。
【特許文献１】特開２００２−３１５８４６号公報
【０００４】
このような直線的な体重移動に対し、下半身に捻り運動をも与える運動具としては、回転円盤に乗って、足腰の鍛練をする健康器具が有効である。特許文献２は、本出願人が先に出願したものであるが、この中には、傾斜円盤上でバランスをとる装置や、電動で回転する装置や、椅子に座って運動のできる装置等も含まれており、既に有効な効果をあげている。
【特許文献２】特開２００１−３２７６２６号公報
【０００５】
しかし、腰痛の予防や治療という点では、腰椎の矯正と大腰筋の強化が要求され、而も無理のかからない運動器具が必要であるので、特許文献２の周辺特許として、本発明に至ったものである。
【０００６】
腰痛患者への治療法としては、実公平７−３００１７号公報に記載の索引療法が一般的である。この腰椎索引装置は、患者の骨盤にベルトを巻いて、脚の方を下に索引するものである。そして腰椎の椎間関節を開くためには、大きな索引力が必要となるため、外側大腿皮神経を圧迫し、患者の腰痛を反って悪化させる場合がある。
【０００７】
そのため、腰痛治療及び防止器具として、各種の先行技術が提案されている。次の特許文献３と特許文献４は、仰臥して台の上に乗せた脚を持ち上げることによって、腰を上げるようにした運動具である。
【特許文献３】特開２００２−３４５８６９号公報
【特許文献４】特開２００３−１６９８１８号公報
【０００８】
また特許文献５は、膝の内側にパッド材を差し込んで引っ張るようにした装置である。そして特許文献６と特許文献７は、膝の内側を持ち上げる時に、足首部が上がらないようにセーブするようにしている。
【特許文献５】特開２００２−３０１１２２号公報
【特許文献６】特許第３４７０１０６号公報
【特許文献７】特開２００１−１７８７５６号公報
【０００９】
さらに、特許文献８と特許文献９は、腰の捻りを与える揺動装置も有効であると提案している。
【特許文献８】特開２０００−３０８６６１号公報
【特許文献９】特開２００１−３４６８４７号公報
【００１０】
しかし、腰痛用の何れの先行技術も、自分では操作しにくい仰臥した状態で脚を上げる方式の、苦痛を伴う治療装置となっている。また腰痛の原因の一つは、腰椎の矯正だけではなく、大腰筋の強化が必要であるが、大腰筋は臀部を経由して下顎骨に連結している。従って、臀周りの筋肉強化が必要であるが、従来の装置は、これに対しては何も対策も講じられていなかった。そして腰痛患者にとっては、運動もさることながら、腰を暖めたいという要求がある。これは取りも直さず、腰を暖めた状態での腰痛治療が効果的であることを示しているが、従来はそのような配慮のなされた治療装置は見当らなかった。暖めるには、ストーブでは動く腰を直接保温するのに不向きであり、懐炉では腰全体を保温することはできない。その点、本発明の出願人が引き取った特許文献１０の面状発熱体を取り付ければ、この運動中に腰だけを保温することができて有効である。
【特許文献１０】特許第２６７１９２３号公報
【発明の開示】
【発明が解決しようとする課題】
【００１１】
上記の事情に鑑み、本発明は、臀部から腰に連結する筋肉の強化をも図るようにした腰痛防止用の保健器具として、またバランス感覚や反射神経を鍛練する運動器具としての電動椅子の提供を課題とする。
【課題を解決するための手段】
【００１２】
本発明は上記目的を達成するために、人が椅子の円盤状座部に座る手段と、該円盤の下面周縁にコロを上端に枢着した支柱群を高低差を有するように枢支して傾斜させ、該支柱群を円盤の下面中央に枢着した軸の周りに電動回転させ、座部を上下に波打揺動させる手段と、一方円盤の下面中央の軸を支点として円盤を電動で正逆回転させ、座部を左右に往復回転させる手段とからなる電動椅子を構成するものである。
【００１３】
また、人が椅子の円盤状座部に座る手段と、該円盤の下面周縁にコロを上端に枢着した支柱群を高低差を有するように枢支して傾斜させ、該支柱群を円盤の下面中央に枢着した軸の周りに電動回転させ、座部を上下に波打運動させる手段と、一方円盤の下面中央の軸を支点として円盤を電動で正逆回転させ、座部を左右に往復運動させる手段と、人が椅子に座った状態で膝を持ち上げて屈伸運動する手段とからなる電動椅子を構成するものである。
【発明の効果】
【００１４】
本発明の電動椅子による波打揺動運動は、従来の装置にはなかった運動で、臀部の筋肉強化に非常に有効であり、ひいては足腰の骨や筋肉の強化にも寄与するので、従来効果の上がらなかった、腰痛の治療と予防を始めとする保健器具として最適である。
【００１５】
本発明の電動椅子による往復回転運動は、左右の往復運動による捻り運動で腰や背中の筋肉を鍛練することができ、正逆回転による右回りと左回りの運動は右利きや左利きの人が、使わなかった筋肉を強化させることができる。
【００１６】
本発明の電動椅子による屈伸運動は、椅子に座った状態で太股部を胸側に寄せるため、自分で操作でき、仙骨と椎間関節の後方の圧迫を効果的に広げることができ、腰痛の治療に適している。
【００１７】
本発明の電動椅子座ってリハビリやトレーニングを続けると、落ちないようにするためのバランス感覚と反射神経の鍛練をすることができ、ふらつきがなくなって、各種のスポーツ競技を上達させる運動器具としての効用もある。
【００１８】
本発明の電動椅子は、座って運動ができるため、足の悪い人や、病人や老人のリハビリにも最適で、楽に楽しく運動をすることができる。
【００１９】
本発明の電動椅子の背凭れ部に、面状発熱体を付設すれば、腰を暖めた状態で効果的な治療をすることができる。
【発明を実施するための最良の形態】
【００２０】
以下、本発明の電動椅子を、図面に基づいて詳細に説明する。
【実施例１】
【００２１】
実施例１は、請求項１と請求項３，４，５に関する発明で、以下図１に示す。図１は、本発明の電動椅子の一実施例で、（イ）は本発明の波打揺動手段を示す装置の縦断面図、（ロ）は本発明の往復回転手段を示す装置の縦断面図、（ハ）は（ロ）をＡ−Ａ面で切断した平面図である。
【００２２】
先ず図１の（イ）と（ハ）によって説明する。本発明の電動椅子１は、椅子２に座って運動するものである。本実施例の椅子２は、背凭れ部３とアームレスト部４と座部５を有している。座部５は、本発明にとって必須のもので、回転可能な円盤状ないしこれに近いものからなっている。また背凭れ部３とアームレスト部４は、座部５と一体となって回転してもよく、あるいは腰に捻りを与えるように、座部５の回転とは無関係に固定させるようにしてもよい。
【００２３】
本発明の電動椅子１の材質は、プラスチックや木でもよいが、本実施例の場合は、病院や施設向きの用途を主体としたもので、多人数が利用しても、ぐらつなかないよう金属製のものからなっている。円盤状の座部５の下面周縁には、基盤６上に支柱群７を立てて枢支させている。これは、支柱群７の上端にカップリング８…８内にコロ９ａ…９ａを枢着させ、円盤の下面に接触させて回転するようにしている。本実施例の場合の支柱群７は、７ａ，７ｂ，７ｃ，７ｄの４本からなっており、支柱群７は、支柱７ａが一番高く、支柱７ｂと７ｄが中間の半分の高さで、７ｃを一番低くし、高低差を有するようにして、座部５が傾斜角度θで傾斜するようにしている。なお、４本の支柱群７の高低差は、２本の支柱を高く、２本の支柱を低くすることもできる。ここで高低差を有するように傾斜するのは、支柱群７を同一高さにして、基盤６を傾斜させ、自在継手によって傾斜軸を回転させることも出来るからである。
【００２４】
支柱群７を取り付けている基盤６は、下部のモータ１０ａに連結している。一方、座部の円盤５は、下面の中央に軸１１を回転自在に枢着し、この軸１１は、下部の枠体１２によって固定されている。座部５は、背面の着脱自在のピン１３によって、正面を向くように枠体１２へ固定され、椅子２が回らないように固定することができる。従って、モータ１０ａを電動回転させると、椅子２は軸１１によって安全に支持されるが、下部の高低差のある支柱群７は、円盤の下面で回動する。そのため座部５は、正面を向いたまま底面が波打つように揺動する。従来、臀部にこのような、おだやかな刺激を与える運動器具はなかった。しかし、この波状揺動手段が、腰痛に関連する臀部の筋肉強化には有効なのである。
【００２５】
支柱群７には、下部にモータ１０ｂが連結されている。座部の円盤５の傾斜角度θを可変したい場合には、本実施例の場合は、モータ１０ｂを作動させれば、例えば一番低い支柱７ｃを、一番高い支柱７ａの位置まで上げると、中間の高さの７ｂと７ｄは同時に半分の高さ上がって、皆同じ高さに揃うようになっている。なお、支柱群７の高さの調節による傾斜角度θのスライドの変更は、本実施例に限定されるものではない。また、その作動方法も電動モータに限るものではなく、手動で行うようにすることもできる。そして、高低差も、支柱群をカムで突き上げるようにすることもできる。
【００２６】
一方、本発明の電動椅子１は、往復回転手段も具備している。本発明で夫々の機構を手段としているのは、実施例は一つの機構を示すに過ぎず、この手段に合致する他の機構もありうるからである。
以下、図１の（ロ）と（ハ）によって説明する。下部の枠体１２内には、油圧機１４が設けられてあり、上部の昇降円盤１５を突き上げうるようになっている。昇降円盤１５には、本実施例の場合、４本の突上棒１６…１６が基盤６を突きぬけて立設し、突上棒１６…１６の上端には、六角錐状の凸嵌合部１７…１７が取り付けられている。また、この凸嵌合部１７…１７は、座部の円盤５の下面に取着される六角錐状の凹嵌合部１８…１８に着脱自在に嵌合されるようになっている。
【００２７】
本実施例の油圧機１４の先端には、コロ９ｂ（カップリングは省略）が枢着され、昇降円盤１５には取着されていない。そのため昇降円盤１５は、突きぬけて立設する突上棒１６…１６によって基盤６と一体になっているので、基盤６の回転に連れ添って回転する。ピン１３によって、椅子２がきちんと正面を向いた状態で昇降円盤１５が突き上げられ、凸嵌合部１７…１７と凹嵌合部１８…１８が嵌合した状態で、座部５は高低差を有する支柱群７上のコロ９ａから遊離し、突上棒１６…１６にて水平のフラットの状態で、回転運動をすることが出来るようになっている。そして座部５は、モータ１０ａに連結されたインバータ１９によって、正逆の往復回転が行なわれる。
【００２８】
その回転角度αは、自在に可変することができる。また、回転角度αも、予め角度を設定しておく野ではなく、最初は正面を向いており、次に１５度、２０度と進み、最後に４５度というように、順次角度の振れを大きくするようにして、老人向けに無理のないようにすることもできる。なお、回転速度も、変速機（図示せず）によって変えることが出来るようになっている。これ等の切り替えは、椅子に座った状態で手元の操作盤２０によって、自分に適したように操作することができる。本実施例の電動椅子１は、波打揺動手段と往復回転手段とを、共に有する構成になっている。
【００２９】
腰痛のストレッチは、風呂上がりの暖まった状態で行なうのが良いとされている。しかし、従来の装置には、そのような配慮のなされたものは見当らない。本実施例の場合には、背凭れ部３の下部の腰の当たる位置に、面状発熱体２１を付設している。面状発熱体２１は、サーモスタットを設ける必要はなく、例えば５０℃の決められた温度に設定することができるし、少々離れても腰部を暖めながら運動をすることができる。
【実施例２】
【００３０】
実施例２は、請求項２と請求項５，６に関する発明であり、図２と図３に示すと共に、説明用に図４を示す。図２は、本発明の電動椅子の別の実施例で、本発明の屈伸運動手段を示す装置の縦断面図である。図３は、同屈伸運動をしている人の状態を示す斜視図である。図４は、人体を説明するための図で、（イ）は腰部の骨と筋肉を示す図であり、（ロ）は腰椎を示す図である。
【００３１】
先の実施例１と相違する点を主体に、以下説明する。図２で、本発明の電動椅子１０１は、椅子１０２と円盤状の座部１０５とからなる。本実施例の電動椅子１０１は、家庭向きの用途を主体にしているので、組立式のプラスチック製のものからなっている。また、支柱群は１０７の上部にコロは１０９ａが設けられ、中央に軸１１１を立設されている。更に椅子１０２には面状発熱体１２１が設けられている。
【００３２】
本実施例では、支柱群の高さ調整用のモ−タは設けられておらず、傾斜角度は一定のものだけになっている。また油圧機も設けられておらず、昇降円盤１１５は昇降切替杆１１４の操作で、上下動させるように簡略化している。昇降切替杆１１４の詳細は省略しているが、上部にコロを有し、昇降円盤１１５全面を把持するようにすることもできる。
【００３３】
また、図３にも示すように、人Ｍが椅子１０２に座った状態で、膝の内側に持上棒１２２を入れて、ハンドル１２３の操作で、膝を上げる屈伸運動手段を追加している。この屈伸運動手段の時は、図２のように、ピン１１３で椅子１０２が正面を向くように固定して行なわれる。またハンドル１２３の支点は、下の後部に枢着しているので、ハンドル１２３を引くと、膝を持ち上げると共に太股部を胸側に圧迫させるようになっている。なおこの屈伸運動は、赤ちやんの歩行器のように、回転軸の回りに偏心カムを取り付けて脚を上下に上げさせる等の機構にすることも勿論できる。
【００３４】
上記機構の作用について図４（イ）（ロ）によって説明する。
図４（イ）は、腰部周りの人体の骨と筋肉を示したものである。１２４が骨盤であり、腰痛に主として関連するのは、腰椎１２５と大腰筋１２６である。ところが大腰筋１２６は、臀部から太股部に至る下顎骨１２７に連結している。従って腰痛の緩和には、臀部を主体にした足の運動が必要なのであるが、従来は見落とされてきた。また、無理な歩行運動は、腰痛の患者にとっては辛いものなので、楽な臀部の運動が適している。
【００３５】
図４（ロ）は、１２５の腰椎を拡大した図である。腰痛の治療には、従来の索引治療でも分かるように、仙骨１２８を図４（ロ）の点線のように前に戻して、椎間関節の後方１２９の圧迫を広げることである。そのためには、従来の治療器具のように、仰臥させて引っ張ったり、脚を持ち上げるだけよりは、海老のように腰を丸めるように、太股部を胸側に寄せる方が効果のあるものであり、本実施例の機構が好適である。
【産業上の利用可能性】
【００３６】
本発明の電動椅子は、腰痛予防と治療用の器具として、また病後のリハビリや足腰の不自由な老人用の器具として、さらにスポーツ選手のバランス感覚訓練用の運動器具として広く利用しうるものである。
【図面の簡単な説明】
【００３７】
【図１】電動椅子の一実施例で、（イ）は本発明の波打揺動手段の装置を示す縦断面図、（ロ）は本発明の往復回転手段の装置を示す縦断面図、（ハ）は（ロ）をＡ−Ａ面で切断した平面図である。
【図２】本発明の電動椅子の別な実施例であって、本発明の屈伸運動手段を示す装置の縦断面図である。
【図３】同屈伸運動をしている人の状態を示す斜視図である。
【図４】人体を説明するための図で、（イ）は腰部の骨と筋肉を示す図であり、（ロ）は腰椎を示す図である。
【符号の説明】
【００３８】
１，１０１          電動椅子
２，１０２          椅子
３                 
背凭れ部
４                 
アームレスト部
５，１０５          座部
６                 
基盤
７，ａ〜ｄ，１０７  支柱群
８                 
カップリング
９ａ，ｂ，１０９ａ  コロ
１０ａ，ｂ          モータ
１１，１１１        軸
１２               
枠体
１３，１１３        ピン
１４                油圧機
１１４             
昇降切替杆
１５，１１５        昇降円盤
１６               
突上棒
１７               
六角錐の凸嵌合部
１８               
六角錐の凹嵌合部
１９               
インバータ
２０               
操作盤
２１，１２１        面状発熱体
１２２             
持上棒
１２３            
ハンドル
１２４             
骨盤
１２５             
腰椎
１２６             
大腰筋
１２７             
下顎骨
１２８             
仙骨
１２９             
椎間関節の後方
Ｍ                 
本発明の運動具に乗った人
α                 
回転角度
θ                 
傾斜角度
【図１】
2005245638.tif 000003
【図２】
2005245638.tif 000004
【図３】
2005245638.tif 000005
【図４】
2005245638.tif 000006